(57)【要約】【課題】この発明は、提供されるメタデータの情報量の不足分をサーバ機器毎に補足することを可能とし、サーバ機器毎にユーザに提供される情報量の差を少なくし得るようにした映像信号処理装置及び映像信号処理方法を提供することを目的としている。【解決手段】メタデータの取得要求に基づいてサーバ機器１２８，１２９から出力されるメタデータを取得し、取得したメタデータの情報量が不足しているか否かを判別する。メタデータの情報量が不足していると判別された場合、サーバ機器１２８，１２９にコンテンツのヘッダ情報の取得を要求し、サーバ機器１２８，１２９から取得したヘッダ情報を解析してメタデータの不足している情報量を補足する。【選択図】図６
2007034889.tif 000002
【特許請求の範囲】
【請求項１】
コンテンツを格納したサーバ機器に対して該コンテンツに対応したメタデータの取得を要求し、この要求に基づいて前記サーバ機器から出力されるメタデータを取得するメタデータ取得手段と、
前記メタデータ取得手段で取得されたメタデータの情報量が不足しているか否かを判別する判別手段と、
前記判別手段により前記メタデータの情報量が不足していると判別された場合、前記サーバ機器に対して前記コンテンツのヘッダ情報の取得を要求し、この要求に基づいて前記サーバ機器から出力される前記ヘッダ情報を取得するヘッダ情報取得手段と、
前記ヘッダ情報取得手段で取得された前記ヘッダ情報を解析して前記メタデータの不足している情報量を補足する補足手段とを具備することを特徴とする映像信号処理装置。
【請求項２】
前記判別手段により前記メタデータの情報量が不足していると判別された場合、前記メタデータ取得手段で取得されたメタデータの情報と、前記補足手段で取得されたメタデータの情報とを合わせて表示部に表示させる表示制御手段を具備することを特徴とする請求項１記載の映像信号処理装置。
【請求項３】
前記表示制御手段は、前記メタデータの情報に基づいて前記サーバ機器に格納されたコンテンツのリストを作成し、前記表示部に表示させることを特徴とする請求項２記載の映像信号処理装置。
【請求項４】
前記表示部に表示されたリストの中から所定のコンテンツを選択して表示させるための操作手段を具備することを特徴とする請求項３記載の映像信号処理装置。
【請求項５】
前記コンテンツは静止画コンテンツであり、前記補足手段で補足されるメタデータの情報は、画像サイズ及び撮影日時のいずれかに関する情報を含むことを特徴とする請求項１記載の映像信号処理装置。
【請求項６】
前記コンテンツは動画コンテンツであり、前記補足手段で補足されるメタデータの情報は、総時間情報を含むことを特徴とする請求項１記載の映像信号処理装置。
【請求項７】
前記サーバ機器は、パーソナルコンピュータと映像または音声の記録再生装置とのいずれかを含むことを特徴とする請求項１記載の映像信号処理装置。
【請求項８】
コンテンツを格納したサーバ機器に対して該コンテンツに対応したメタデータの取得を要求し、この要求に基づいて前記サーバ機器から出力されるメタデータを取得する第１の工程と、
前記第１の工程で取得されたメタデータの情報量が不足しているか否かを判別する第２の工程と、
前記第２の工程により前記メタデータの情報量が不足していると判別された場合、前記サーバ機器に対して前記コンテンツのヘッダ情報の取得を要求し、この要求に基づいて前記サーバ機器から出力される前記ヘッダ情報を取得する第３の工程と、
前記第３の工程で取得された前記ヘッダ情報を解析して前記メタデータの不足している情報量を補足する第４の工程とを具備することを特徴とする映像信号処理方法。
【請求項９】
前記第２の工程により前記メタデータの情報量が不足していると判別された場合、前記第１の工程で取得されたメタデータの情報と、前記第４の工程で取得されたメタデータの情報とを合わせて表示部に表示させる第５の工程を具備することを特徴とする請求項８記載の映像信号処理方法。
【請求項１０】
前記第５の工程は、前記メタデータの情報に基づいて前記サーバ機器に格納されたコンテンツのリストを作成し、前記表示部に表示させることを特徴とする請求項９記載の映像信号処理方法。
【請求項１１】
前記表示部に表示されたリストの中から所定のコンテンツを選択して表示させる第６の工程を具備することを特徴とする請求項１０記載の映像信号処理方法。
【発明の詳細な説明】
【技術分野】
【０００１】
この発明は、例えばデジタルテレビジョン放送受信装置等に使用して好適する映像信号処理装置及び映像信号処理方法に係り、特に家庭内ネットワークを介してサーバ機器からコンテンツを取得するものに関する。
【背景技術】
【０００２】
周知のように、近年では家電機器のデジタル化が進展している。例えば日本国内では、衛星ＢＳ（broadcasting satellite）デジタル放送、地上デジタル放送を受信、再生する機能を持った液晶、プラズマ等の薄型デジタルＴＶ（television）や、アナログ放送番組を受信し、内蔵したＨＤＤ（hard disk drive）にデジタル記録するＨＤＤ−ＤＶＤ（digital versatile disk）レコーダ等が、急速に家庭内に普及してきている。
【０００３】
これらのデジタル家電機器の中には、ＰＣ（personal computer）を含めてネットワーク接続機能を持つ機器も多く存在する。このため、例えば、デジタルＴＶのようなコンテンツ表示装置がクライアント機器として動作し、別の部屋にあるサーバ機能を持つＰＣやＨＤＤ−ＤＶＤレコーダに保存されたコンテンツに家庭内ネットワークを介してアクセスすることで、コンテンツが物理的に存在する場所に移動することなくコンテンツを楽しむことが簡単にできるようになる。
【０００４】
ところで、上記のような家庭内ネットワークにおいて、ネットワーク上に複数のサーバ機器が接続される場合、各サーバ機器の実行するサーバソフトウエアが相違していることにより、各サーバ機器からクライアント機器に提供するコンテンツの属性情報であるメタデータの情報量がそれぞれ異なっている。このため、クライアント機器が、サーバ機器から取得したメタデータをＧＵＩ（graphical user interface）により表示する際、サーバ機器毎に、表示される情報量、つまり、ユーザに提供される情報量に差が生じることになる。
【０００５】
特許文献１には、静止画データを格納したフィルムロールファイルと、静止画データのインデックス情報を格納したインデックス情報ファイルとをサーバに格納し、両ファイルにＵＲＩ（uniform resource identifier）を設定してコンテンツ対応のメタデータとすることにより、クライアントが、コンテンツ情報（メタデータ）からＵＲＩを取得し、データ要求をサーバに送信することにより、コンテンツ、静止画、インデックス情報を選択的に受信することができるようにした構成が開示されている。
【特許文献１】特開２００４−３６２０９９公報
【発明の開示】
【発明が解決しようとする課題】
【０００６】
しかしながら、上記した特許文献１には、家庭内ネットワークに接続された各サーバ機器からクライアント機器に提供するメタデータの情報量が異なっているため、サーバ機器毎に表示される情報量、つまり、ユーザに提供される情報量に差が生じていることに対して、積極的な改善を行なうことについては何らの記載もなされていないものである。
【０００７】
そこで、この発明は上記事情を考慮してなされたもので、提供されるメタデータの情報量の不足分をサーバ機器毎に補足することを可能とし、サーバ機器毎にユーザに提供される情報量の差を少なくし得るようにした映像信号処理装置及び映像信号処理方法を提供することを目的とする。
【課題を解決するための手段】
【０００８】
この発明の実施の形態に係る映像信号処理装置は、コンテンツを格納したサーバ機器に対して該コンテンツに対応したメタデータの取得を要求し、この要求に基づいてサーバ機器から出力されるメタデータを取得するメタデータ取得手段と、メタデータ取得手段で取得されたメタデータの情報量が不足しているか否かを判別する判別手段と、判別手段によりメタデータの情報量が不足していると判別された場合、サーバ機器に対してコンテンツのヘッダ情報の取得を要求し、この要求に基づいてサーバ機器から出力されるヘッダ情報を取得するヘッダ情報取得手段と、ヘッダ情報取得手段で取得されたヘッダ情報を解析してメタデータの不足している情報量を補足する補足手段とを備えるようにしている。
【０００９】
また、この発明の実施の形態に係る映像信号処理方法は、コンテンツを格納したサーバ機器に対して該コンテンツに対応したメタデータの取得を要求し、この要求に基づいてサーバ機器から出力されるメタデータを取得する第１の工程と、第１の工程で取得されたメタデータの情報量が不足しているか否かを判別する第２の工程と、第２の工程によりメタデータの情報量が不足していると判別された場合、サーバ機器に対してコンテンツのヘッダ情報の取得を要求し、この要求に基づいてサーバ機器から出力されるヘッダ情報を取得する第３の工程と、第３の工程で取得されたヘッダ情報を解析してメタデータの不足している情報量を補足する第４の工程とを備えるようにしている。
【発明の効果】
【００１０】
上記した構成及び方法によれば、サーバ機器が出力したメタデータに情報量の不足があった場合、サーバ機器からヘッダ情報を取得し、そのヘッダ情報から必要とするメタデータを得ることにより、メタデータの情報量の不足分を補足するようにしている。これにより、サーバ機器毎にユーザに提供されるメタデータの情報量の差を少なくすることが可能となる。
【発明を実施するための最良の形態】
【００１１】
以下、この発明の実施の形態について図面を参照して詳細に説明する。図１は、この実施の形態で説明するデジタルテレビジョン放送受信装置１１１の外観と、このデジタルテレビジョン放送受信装置１１１を中心として構成されるネットワークシステムの一例とを概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、このキャビネット１１２には、例えばＳＥＤ（surface-conduction electron-emitter display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１３】
また、このデジタルテレビジョン放送受信装置１１１には、例えばＳＤ（secure digital）メモリカード、ＭＭＣ（multimedia card）及びメモリスティック等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１５】
また、このデジタルテレビジョン放送受信装置１１１は、第１のＬＡＮ（local area network）端子１２１、第２のＬＡＮ端子１２２、ＵＳＢ（universal serial bus）端子１２３及びＩＥＥＥ１３９４端子１２４を備えている。
【００１６】
このうち、第１のＬＡＮ端子１２１は、ＬＡＮ対応ＨＤＤ専用ポートとして使用されるもので、接続されたＮＡＳ（network attached storage）であるＬＡＮ対応のＨＤＤ１２５に対して、イーサネット（登録商標）により情報の記録再生を行なうために使用される。
【００１７】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ１２８、ＨＤＤ内蔵のＤＶＤレコーダ１２９等の機器を接続し、これらの機器と情報伝送を行なうために使用される。
【００１９】
この場合、ＰＣ１２８及びＤＶＤレコーダ１２９については、それぞれ、家庭内ネットワークにおいてコンテンツのサーバ機器として動作するための機能を持ち、さらにコンテンツのアクセスに必要なＵＲＩ情報を提供するサービスを備えたＵＰｎＰ（universal plug and play）対応機器として構成される。
【００２０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０が設けられている。
【００２１】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００２２】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２３】
さらに、上記ＩＥＥＥ１３９４端子１２４は、例えばＡＶ−ＨＤＤ１４１、Ｄ（digital）−ＶＨＳ（video home system）１４２等をシリアル接続し、これらの機器と情報伝送を行なうために使用される。
【００２４】
図２は、上記したデジタルテレビジョン放送受信装置１１１の主要な信号処理系を示している。すなわち、ＢＳ／ＣＳ（communication satellite）デジタル放送受信用のアンテナ２４３で受信した衛星デジタルテレビジョン放送信号は、入力端子２４４を介して衛星デジタル放送用のチューナ２４５に供給されることにより、所望のチャンネルの放送信号が選局される。
【００２５】
そして、このチューナ２４５で選局された放送信号は、ＰＳＫ（phase shift keying）復調器２４６に供給されて、デジタルの映像信号及び音声信号に復調された後、信号処理部２４７に出力される。
【００２６】
また、地上波放送受信用のアンテナ２４８で受信した地上デジタルテレビジョン放送信号は、入力端子２４９を介して地上デジタル放送用のチューナ２５０に供給されることにより、所望のチャンネルの放送信号が選局される。
【００２７】
そして、このチューナ２５０で選局された放送信号は、例えば日本ではＯＦＤＭ（orthogonal frequency division multiplexing）復調器２５１に供給されて、デジタルの映像信号及び音声信号に復調された後、上記信号処理部２４７に出力される。
【００２８】
また、上記地上波放送受信用のアンテナ２４８で受信した地上アナログテレビジョン放送信号は、入力端子２４９を介して地上アナログ放送用のチューナ２５２に供給されることにより、所望のチャンネルの放送信号が選局される。そして、このチューナ２５２で選局された放送信号は、アナログ復調器２５３に供給されてアナログの映像信号及び音声信号に復調された後、上記信号処理部２４７に出力される。
【００２９】
ここで、上記信号処理部２４７は、ＰＳＫ復調器２４６及びＯＦＤＭ復調器２５１からそれぞれ供給されたデジタルの映像信号及び音声信号に対して、選択的に所定のデジタル信号処理を施し、グラフィック処理部２５４及び音声処理部２５５に出力している。
【００３０】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３１】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３２】
グラフィック処理部２５４は、信号処理部２４７から供給されるデジタルの映像信号に、ＯＳＤ（on screen display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３３】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３４】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３５】
ここで、このデジタルテレビジョン放送受信装置１１１は、上記した各種の受信動作を含むその全ての動作を制御部２６１によって統括的に制御されている。この制御部２６１は、ＣＰＵ（central processing unit）等を内蔵しており、前記操作部１１６からの操作情報を受け、または、リモートコントローラ１１７から送出された操作情報を前記受光部１１８を介して受信し、その操作内容が反映されるように各部をそれぞれ制御している。
【００３６】
この場合、制御部２６１は、主として、そのＣＰＵが実行する制御プログラムを格納したＲＯＭ（read only memory）２６１ａと、該ＣＰＵに作業エリアを提供するＲＡＭ（random access memory）２６１ｂと、各種の設定情報及び制御情報等が格納される不揮発性メモリ２６１ｃとを利用している。
【００３７】
また、この制御部２６１は、カードＩ／Ｆ（interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００３８】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００３９】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（dynamic host configuration protocol）サーバ機能を有し、第１のＬＡＮ端子１２１に接続されたＬＡＮ対応のＨＤＤ１２５にＩＰ（internet protocol）アドレスを割り当てて制御している。
【００４０】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４１】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４２】
さらに、上記制御部２６１は、ＩＥＥＥ１３９４  Ｉ／Ｆ２７２を介してＩＥＥＥ１３９４端子１２４に接続されている。これにより、制御部２６１は、ＩＥＥＥ１３９４端子１２４に接続された各機器（図１参照）と、ＩＥＥＥ１３９４  Ｉ／Ｆ２７２を介して情報伝送を行なうことができる。
【００４３】
また、上記制御部２６１は、ＵＰｎＰを利用したサーバ機器発見機能２６１ｄと、ＵＰｎＰを利用したコンテンツ情報取得機能２６１ｅと、コンテンツヘッダ解析機能２６１ｆとを備えている。
【００４４】
すなわち、制御部２６１は、サーバ機器発見機能２６１ｄにより、ＵＰｎＰのディスカバリ機能を用いてネットワーク上のＵＰｎＰ対応機器を発見することができる。例えばサーバ機器発見機能２６１ｄは、ＵＰｎＰのディスカバリ機能を用いて、家庭内ネットワークに接続されたサーバ機能を有するＰＣ１２８を発見することが可能である。
【００４５】
また、制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得することができる。例えばコンテンツ情報取得機能２６１ｅは、ＰＣ１２８をコントロールし、ＰＣ１２８内のＨＤＤ等に蓄積されているコンテンツをアクセスするために必要なＵＲＩ情報をＰＣ１２８から取得することが可能である。
【００４６】
さらに、制御部２６１は、コンテンツ情報取得機能２６１ｅで取得したＵＲＩ情報を用いて、サーバ機器（ＰＣ１２８）からコンテンツ及びそのヘッダ情報を取得し、コンテンツヘッダ解析機能２６１ｆにより、取得したヘッダ情報を解析してメタデータを得ることができる。このメタデータの情報は、ＧＵＩにより映像表示器１１４に表示される。
【００４７】
図３は、図１に示したネットワークシステムのうちの家庭内ネットワークの一部を示している。すなわち、前述したように、クライアント機器となるデジタルテレビジョン放送受信装置１１１は、その第２のＬＡＮ端子１２２がハブ１２６を介して、サーバ機器として動作可能なＰＣ１２８及びＤＶＤレコーダ１２９に接続されている。
【００４８】
ここで、デジタルテレビジョン放送受信装置１１１が、ＰＣ１２８にアクセスし、その内蔵ＨＤＤに格納された複数の静止画コンテンツ［ＪＰＥＧ（joint photographic experts group）データ］から、所望の静止画コンテンツを選択して映像表示器１１４に表示させる場合を考える。
【００４９】
この場合、デジタルテレビジョン放送受信装置１１１は、ＰＣ１２８に対して、その内蔵ＨＤＤに格納された各静止画コンテンツに対応するメタデータの取得を要求する。すると、ＰＣ１２８は要求されたメタデータを出力し、デジタルテレビジョン放送受信装置１１１は、ＰＣ１２８から取得したメタデータに基づいて、図４に示すように、ＰＣ１２８に格納されている静止画コンテンツのリストを映像表示器１１４に表示させる。
【００５０】
このとき、ＰＣ１２８は、静止画コンテンツに対するメタデータとして、「タイトル」、「画像サイズ」、「撮影日時」等を示す情報を出力可能な機能を有しており、このリスト画面上から、ユーザは、リモートコントローラ１１７を操作して所望の静止画コンテンツを選択決定して、表示させることができる。
【００５１】
一方、デジタルテレビジョン放送受信装置１１１が、ＤＶＤレコーダ１２９にアクセスし、その内蔵ＨＤＤに格納された静止画コンテンツ（ＪＰＥＧデータ）から、所望の静止画コンテンツを選択して映像表示器１１４に表示させる場合を考える。
【００５２】
この場合も、デジタルテレビジョン放送受信装置１１１は、ＤＶＤレコーダ１２９に対して、その内蔵ＨＤＤに格納された各静止画コンテンツに対応するメタデータの取得を要求する。これにより、ＤＶＤレコーダ１２９は要求されたメタデータを出力し、デジタルテレビジョン放送受信装置１１１は、ＤＶＤレコーダ１２９から取得したメタデータに基づいて、ＤＶＤレコーダ１２９に格納されている静止画コンテンツのリストを映像表示器１１４に表示させる。
【００５３】
このとき、ＤＶＤレコーダ１２９が、静止画コンテンツに対応するメタデータとして、「タイトル」を示す情報のみを出力する機能しか有していないものとすると、デジタルテレビジョン放送受信装置１１１では、静止画リストとして、図５に示すように、静止画コンテンツのタイトルしか表示させることができず、ＰＣ１２８の場合に比べて、ユーザに提供される情報量が少なくなることになる。
【００５４】
このような場合、デジタルテレビジョン放送受信装置１１１は、コンテンツ情報取得機能２６１ｅで取得したＵＲＩ情報を用いて、ＤＶＤレコーダ１２９に対して、静止画コンテンツの取得を要求する。すなわち、ＤＶＤレコーダ１２９の内蔵ＨＤＤには、複数の静止画コンテンツが格納されている。このコンテンツの部分にはヘッダ情報として、タイトル、画像サイズ、撮影日時等のように、デジタルスチルカメラで撮影した場合に、通常得られる属性情報が含まれている。
【００５５】
そして、ＤＶＤレコーダ１２９は、デジタルテレビジョン放送受信装置１１１からの要求に応じて、静止画コンテンツをデジタルテレビジョン放送受信装置１１１に出力する。すると、デジタルテレビジョン放送受信装置１１１は、ＤＶＤレコーダ１２９から出力されたコンテンツからヘッダ情報を取得し、制御部２６１のコンテンツヘッダ解析機能２６１ｆにより、取得したヘッダ情報を解析して、不足している情報である画像サイズ及び撮影日時を示すメタデータを得る。
【００５６】
これにより、デジタルテレビジョン放送受信装置１１１は、ＤＶＤレコーダ１２９が出力したメタデータの情報（タイトル）と、ヘッダ情報から取得したメタデータ（画像サイズ及び撮影日時）とを合わせて、静止画リストとして、「タイトル」、「画像サイズ」、「撮影日時」を表示させることができるようになる。
【００５７】
図６は、上記したメタデータの表示動作をまとめたフローチャートを示している。この動作は、デジタルテレビジョン放送受信装置１１１が、家庭内ネットワークに接続されている所定のサーバ機器に対して、メタデータの取得要求を発生することにより開始（ステップＳ１）される。
【００５８】
すると、デジタルテレビジョン放送受信装置１１１は、ステップＳ２で、サーバ機器から出力されたメタデータを取得し、ステップＳ３で、必要とする情報量のメタデータを取得することができたか否か、つまり、その取得したメタデータの情報量に不足がないかあるかを判別する。
【００５９】
ここで、必要とする情報量のメタデータを取得することができなかったと判断された場合（ＮＯ）、デジタルテレビジョン放送受信装置１１１は、ステップＳ４で、サーバ機器からヘッダ情報を所得し、その取得したヘッダ情報を解析してメタデータを得る。
【００６０】
そして、ステップＳ４の後、または、上記ステップＳ３で必要とする情報量のメタデータを取得することができたと判断された場合（ＹＥＳ）、デジタルテレビジョン放送受信装置１１１は、ステップＳ５で、取得したメタデータをＧＵＩにより表示させて、処理を終了（ステップＳ６）する。
【００６１】
上記した実施の形態によれば、サーバ機器が出力したメタデータに情報量の不足があった場合、デジタルテレビジョン放送受信装置１１１は、サーバ機器からヘッダ情報を取得し、そのヘッダ情報から必要とするメタデータを得ることにより、メタデータの情報量の不足分を補足するようにしている。これにより、サーバ機器毎にユーザに提供されるメタデータの情報量の差を少なくすることが可能となる。
【００６２】
ここで、必要とするメタデータの情報量は、例えばデジタルスチルカメラで撮影した静止画コンテンツの場合は、タイトル、画像サイズ、撮影日時の３種類というように、コンテンツの種類毎に予め設定しておき、サーバ機器が出力したメタデータの情報量と比較することによって、不足しているか否かを判別することができる。
【００６３】
また、上記した実施の形態では、サーバ機器に格納された静止画コンテンツに対するリストを表示させることについて説明したが、これに限らず、サーバ機器に格納された動画コンテンツのリストを表示させることも可能である。この場合、サーバ機器から提供されるメタデータの中に総時間情報が含まれていない場合がある。この場合にも、サーバ機器からヘッダ情報を取得し、その中の総時間情報を解析してリストに表示させることができる。
【００６４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６５】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置を中心とした家庭内ネットワークを説明するために示すブロック構成図。
【図４】同実施の形態におけるデジタルテレビジョン放送受信装置に表示される静止画リストの一例を説明するために示す図。
【図５】同実施の形態におけるデジタルテレビジョン放送受信装置に表示される静止画リストの他の例を説明するために示す図。
【図６】同実施の形態におけるデジタルテレビジョン放送受信装置の主要な処理動作を説明するために示すフローチャート。
【符号の説明】
【００６６】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ＩＥＥＥ１３９４端子、１２５…ＨＤＤ、１２６…ハブ、１２７…ＨＤＤ、１２８…ＰＣ、１２９…ＤＶＤレコーダ、１３０…アナログ伝送路、１３１…ブロードバンドルータ、１３２…ネットワーク、１３３…ＰＣ、１３４…携帯電話、１３５…ハブ、１３６…携帯電話、１３７…デジタルカメラ、１３８…カードリーダ／ライタ、１３９…ＨＤＤ、１４０…キーボード、１４１…ＡＶ−ＨＤＤ、１４２…Ｄ−ＶＨＳ、２４３…アンテナ、２４４…入力端子、２４５…チューナ、２４６…ＰＳＫ復調器、２４７…信号処理部、２４８…アンテナ、２４９…入力端子、２５０…チューナ、２５１…ＯＦＤＭ復調器、２５２…チューナ、２５３…アナログ復調器、２５４…グラフィック処理部、２５５…音声処理部、２５６ａ〜２５６ｄ…入力端子、２５７…ＯＳＤ信号生成部、２５８…映像処理部、２５９…出力端子、２６０…出力端子、２６１…制御部、２６５…カードＩ／Ｆ、２６６…カードホルダ、２６７…カードＩ／Ｆ、２６８…カードホルダ、２６９…通信Ｉ／Ｆ、２７０…通信Ｉ／Ｆ、２７１…ＵＳＢ Ｉ／Ｆ、２７２…ＩＥＥＥ１３９４ Ｉ／Ｆ。
【図１】
2007034889.tif 000003
【図２】
2007034889.tif 000004
【図３】
2007034889.tif 000005
【図４】
2007034889.tif 000006
【図５】
2007034889.tif 000007
【図６】
2007034889.tif 000008